(57)【特許請求の範囲】
【請求項１】
ハンドルが取り付けられる鉛蓄電池の蓋であって、
前記鉛蓄電池の電槽の上部に取り付けられる第１蓋部と、
前記第１蓋部に重ねられ、前記第１蓋部との間に排気室を形成する第２蓋部と、
を備え、
前記第２蓋部には、前記第１蓋部側に向けて窪むとともに前記ハンドルを収容する収容部が設けられ、
前記第２蓋部における前記第１蓋部側の面には、前記排気室内のガスを外部に導く排気通路が設けられ、
前記排気通路は、前記第１蓋部と前記第２蓋部との重ね方向に沿って見たときに前記収容部と重なる部位である重なり通路部を有し、
前記第１蓋部には、前記重なり通路部に対向する部位に、前記重なり通路部に沿って延在してガスを流通させるガス流通部が設けられ、
前記重なり通路部は、前記第１蓋部側に開口し、
前記ガス流通部は、前記第２蓋部側に開口している、鉛蓄電池の蓋。
【請求項２】
前記第１蓋部は、本体部と、前記本体部から前記第２蓋部側に向けて立ち上がるとともに前記第１蓋部の前記排気室を仕切る壁部と、を有し、
前記壁部は、前記収容部における前記第１蓋部側の面に対向する位置に設けられ、且つ、前記重なり通路部に対向する部位を避けた位置に設けられている、請求項１に記載の鉛蓄電池の蓋。
【請求項３】
前記第１蓋部は、本体部と、前記本体部から前記第２蓋部側に向けて立ち上がるとともに前記第１蓋部の前記排気室を仕切る壁部と、を有し、
前記壁部は、前記収容部における前記第１蓋部側の面に対向する位置に設けられ、
前記壁部には、前記重なり通路部と対向する部位に、切欠きが設けられている、請求項１に記載の鉛蓄電池の蓋。
【請求項４】
請求項１〜３のいずれか一項に記載の前記鉛蓄電池の蓋を備える、鉛蓄電池。
【発明の詳細な説明】
【技術分野】
【０００１】
本発明は、鉛蓄電池の蓋、及び鉛蓄電池に関する。
【背景技術】
【０００２】
例えば特許文献１に記載されているように、自動車等に搭載された鉛蓄電池がある。このような鉛蓄電池は、電極群及び電解液等を収容する電槽と、電槽の開口を閉じる蓋とを備えている。また、鉛蓄電池の蓋には、作業者等が鉛蓄電池を持ち上げるときに使用されるハンドルが取り付けられている。蓋の上面には、凹状の収容部が設けられている。蓋は、収容部内にハンドルを収容することができる。【０００３】
蓋は、第１蓋部と、第１蓋部の上面に重ねられる第２蓋部とを備える２重蓋構造を有している。第１蓋部と第２蓋部との間には、排気室が形成されている。第２蓋部の上面には、上述した収容部が形成されている。第２蓋部における第１蓋部側の面には、排気室内のガスを外部に導く排気通路が設けられている。第１蓋部と第２蓋部とは、樹脂によって形成されており、熱溶着によって互いに接合される。
【先行技術文献】
【特許文献】
【０００４】
【特許文献１】特開２００３−３３８２８５号公報
【発明の概要】
【発明が解決しようとする課題】
【０００５】
ここで、第２蓋部における収容部が設けられた部位の厚さは、第２蓋部の他の部位の厚さよりも薄くなる。また、第２蓋部には、厚さが薄い部位にも排気通路が設けられている。すなわち、排気通路のうち第２蓋部の厚さが薄い部位に設けられた部分は、高さが低くなる。このため、第１蓋部と第２蓋部とを熱溶着によって接合したときに、第２蓋部の厚さが薄い部位において、排気通路が溶けた樹脂によって塞がれることが考えられる。排気通路が樹脂で塞がれると、鉛蓄電池は、排気室からガスを排出できなくなる。このため、本技術分野では、排気室からのガスの排出経路を確保することができる鉛蓄電池の蓋、及び鉛蓄電池が求められている。
【課題を解決するための手段】
【０００６】
本発明の一側面に係る鉛蓄電池の蓋は、ハンドルが取り付けられる鉛蓄電池の蓋であって、鉛蓄電池の電槽の上部に取り付けられる第１蓋部と、第１蓋部に重ねられ、第１蓋部との間に排気室を形成する第２蓋部と、を備え、第２蓋部には、第１蓋部側に向けて窪むとともにハンドルを収容する収容部が設けられ、第２蓋部における第１蓋部側の面には、排気室内のガスを外部に導く排気通路が設けられ、排気通路は、第１蓋部と第２蓋部との重ね方向に沿って見たときに収容部と重なる部位である重なり通路部を有し、第１蓋部には、重なり通路部に対向する部位に、重なり通路部に沿って延在してガスを流通させるガス流通部が設けられ、重なり通路部は、第１蓋部側に開口し、ガス流通部は、第２蓋部側に開口している。【０００７】
この鉛蓄電池の蓋において、第２蓋部の収容部が設けられた部位は、第２蓋部の他の部位よりも厚さが薄くなる。第２蓋部に設けられる排気通路のうちの重なり通路部は、第２蓋部の厚さが薄い部位に設けられている。第１蓋部には、重なり通路部に対向する部位にガス流通部が設けられている。このため、第１蓋部と第２蓋部とを熱溶着で接合したときに、第２蓋部における排気通路の重なり通路部が溶けた樹脂で塞がれても（一部が塞がれても）、鉛蓄電池の蓋は、第１蓋部に設けられたガス流通部を介して排気通路のガスの流通を確保できる。従って、鉛蓄電池の蓋は、排気室からのガスの排出経路を確保できる。【０００８】
鉛蓄電池の蓋において、第１蓋部は、本体部と、本体部から第２蓋部側に向けて立ち上がるとともに第１蓋部の排気室を仕切る壁部と、を有し、壁部は、収容部における第１蓋部側の面に対向する位置に設けられ、且つ、重なり通路部に対向する部位を避けた位置に設けられていてもよい。この場合、鉛蓄電池の蓋は、壁部が設けられていたとしても、第１蓋部における重なり通路部に対向する部位をガス流通部として使用できる。【０００９】
鉛蓄電池の蓋において、第１蓋部は、本体部と、本体部から第２蓋部側に向けて立ち上がるとともに第１蓋部の排気室を仕切る壁部と、を有し、壁部は、収容部における第１蓋部側の面に対向する位置に設けられ、壁部には、重なり通路部と対向する部位に、切欠きが設けられていてもよい。この場合、鉛蓄電池の蓋は、壁部が設けられていたとしても、第１蓋部における重なり通路部に対向する部位をガス流通部として使用できる。【００１０】
本発明の他の一側面に係る鉛蓄電池は、上記の鉛蓄電池の蓋を備えている。この場合、鉛蓄電池は、排気室からのガスの排出経路を確保することができる。
【発明の効果】
【００１１】
本発明の種々の側面によれば、排気室からのガスの排出経路を確保することができる。
【図面の簡単な説明】
【００１２】
【図１】実施形態に係る鉛蓄電池の正面図である。
【図２】図１の鉛蓄電池の上面図である。
【図３】ハンドルが取り外された状態の鉛蓄電池を示す上面図である。
【図４】第２蓋部が取り外された状態の鉛蓄電池を示す上面図である。
【図５】第２蓋部の下面図である。
【図６】図４のVI-VI線に沿って切ったガス流通部周りの断面図である。
【図７】変形例における鉛蓄電池の蓋のガス流通部周りを示す断面図である。
【発明を実施するための形態】
【００１３】
以下、本発明の蓋が適用された鉛蓄電池の実施形態について図面を参照しながら説明する。なお、図面の説明において同一の要素には同一の符号を付し、重複する説明を省略する。
【００１４】
図１及び図２に示されるように、鉛蓄電池１は、液式鉛蓄電池である。鉛蓄電池１は、上面が開口している電槽２、電槽２の開口を閉じる蓋(鉛蓄電池の蓋)３、並びに、蓋３に取り付けられたハンドル４及び５を備えている。電槽２、蓋３並びにハンドル４及び５は、例えばポリプロピレン等の樹脂で形成されている。電槽２の内部には、複数の電極群、及び電解液が収容されている。
【００１５】
蓋３は、上方から見たときに、略長方形状を呈している（図２参照）。以下、説明の便宜上、図２に示されるように、蓋３の長手方向をＸ軸方向、蓋３の短手方向をＹ軸方向とする。なお、本実施形態において電槽２の内部には、Ｘ軸方向に沿って並ぶ６個のセル室が形成されている。各セル室内には、電極群がそれぞれ配置されている。
【００１６】
蓋３は、第１蓋部１０及び第２蓋部２０から構成される二重蓋構造を有している。第１蓋部１０は、鉛蓄電池１の電槽２の開口を閉じるように、電槽２の上部に取り付けられている。第１蓋部１０の一部には、その上に第２蓋部２０が配置される排気室構成部１００（図１及び図４参照）が形成されている。排気室構成部１００は、上方から見たときに、Ｘ軸方向に沿って延在している。
【００１７】
第２蓋部２０は、第１蓋部１０の排気室構成部１００上に重ねられ、第１蓋部１０との間に排気室を形成する。本実施形態では、第１蓋部１０と第２蓋部２０との間に６個の排気室Ｄ１〜Ｄ６（図４及び図５参照）が形成されている。
【００１８】
第１蓋部１０には、第１蓋部１０の上面のうち第２蓋部２０が設けられていない領域に、上方に突出した中空の突出部１１が形成されている。突出部１１と排気室構成部１００とは、Ｙ軸方向において隣接している。突出部１１には、インジケータ取り付け孔Ｈ１１が設けられている。インジケータ取り付け孔Ｈ１１には、電槽２内の電解液の液面レベルを表示するインジケータ（図示せず）が取り付けられる。
【００１９】
本実施形態において、第２蓋部２０の上面の高さ位置と、突出部１１の上面の高さ位置とは互いに略同じとなっている。すなわち、第２蓋部２０の上面と、突出部１１の上面とは互いに略同一面となっている。
【００２０】
第１蓋部１０には、第１蓋部１０の上面のうち突出部１１及び排気室構成部１００が設けられていない領域に、正極端子Ｔ１と、負極端子Ｔ２とが設けられている。正極端子Ｔ１は、第１蓋部１０におけるＸ軸方向の一方の端部近傍に設けられている。負極端子Ｔ２は、第１蓋部１０におけるＸ軸方向の他方の端部近傍に設けられている。突出部１１は、上方から見たときに、Ｘ軸方向において正極端子Ｔ１と負極端子Ｔ２との間に位置している。電槽２内の電極群は、正極端子Ｔ１及び負極端子Ｔ２にそれぞれ接続されている。
【００２１】
ハンドル４及び５は、蓋３に対して回動可能に取り付けられている。詳細には、ハンドル４は、アーム部４１、アーム部４２、及びグリップ部４３を備えている。上方から見たときに、アーム部４１及び４２は、Ｙ軸方向において突出部１１及び排気室構成部１００（第２蓋部２０）を挟み込んでいる。アーム部４１の基端部は、突出部１１からＹ軸方向に突出する軸部Ｐ４１に回動可能に嵌め込まれている。アーム部４２の基端部は、排気室構成部１００からＹ軸方向に突出する軸部Ｐ４２（図３参照）に回動可能に嵌め込まれている。
【００２２】
アーム部４１の先端部には、グリップ部４３の一方の端部が取り付けられている。アーム部４２の先端部には、グリップ部４３の他方の端部が取り付けられている。すなわち、ハンドル４は、略Ｕ字状を呈している。軸部Ｐ４１及びＰ４２は、上方から見たときに、Ｘ軸方向における第１蓋部１０の中央位置よりも正極端子Ｔ１側に位置している。
【００２３】
ハンドル５は、アーム部５１、アーム部５２、及びグリップ部５３を備えている。上方から見たときに、アーム部５１及び５２は、Ｙ軸方向において突出部１１及び排気室構成部１００（第２蓋部２０）を挟み込んでいる。アーム部５１の基端部は、突出部１１からＹ軸方向に突出する軸部Ｐ５１に回動可能に嵌め込まれている。アーム部５２の基端部は、排気室構成部１００からＹ軸方向に突出する軸部Ｐ５２（図３参照）に回動可能に嵌め込まれている。
【００２４】
アーム部５１の先端部には、グリップ部５３の一方の端部が取り付けられている。アーム部５２の先端部には、グリップ部５３の他方の端部が取り付けられている。すなわち、ハンドル５は、略Ｕ字状を呈している。軸部Ｐ５１及びＰ５２は、上方から見たときに、Ｘ軸方向における第１蓋部１０の中央位置よりも負極端子Ｔ２側に位置している。
【００２５】
ハンドル４は、軸部Ｐ４１及びＰ４２を軸として回動可能である。ハンドル５は、軸部Ｐ５１及びＰ５２を軸として回動可能である。ハンドル４及び５は、それぞれＹ軸方向に沿った軸周りに回動する。ハンドル４とハンドル５とは、Ｘ軸方向において並べて配置されている。ハンドル４の回動の軸は、ハンドル５の回動の軸と平行となっている。
【００２６】
第１蓋部１０の突出部１１の上面及び第２蓋部２０の上面には、図１及び図２に示されるようにハンドル４及び５が倒されたときにグリップ部４３及び５３を収容する凹状の収容部１１ａ及び２０ａ（図３参照）がそれぞれ設けられている。収容部１１ａ及び２０ａは、それぞれＹ軸方向に沿って延在している。収容部１１ａ及び２０ａは、蓋３におけるＸ軸方向の中央部に位置している。なお、ハンドル４及び５が倒されたときに、ハンドル４のグリップ部４３とハンドル５のグリップ部５３とがＸ軸方向において並ぶように、ハンドル４及び５が蓋３に取り付けられている。
【００２７】
次に、蓋３に形成される排気室Ｄ１〜Ｄ６の詳細について説明する。図４に示されるように、第１蓋部１０の排気室構成部１００には、電槽２の開口を覆う板状の本体部１０１の上面から上方に向かって立ち上がる周壁部１１０、及び本体部１０１の上面から上方に向かって立ち上がる隔壁部１１１〜１１５が設けられている。周壁部１１０は、排気室構成部１００の外周縁に沿って延在している。隔壁部１１１〜１１５は、それぞれ周壁部１１０内に設けられ、Ｙ軸方向に沿って延在している。隔壁部１１１〜１１５は、周壁部１１０で囲まれる空間を、６個に仕切っている。
【００２８】
図５に示されるように、第２蓋部２０は、排気室構成部１００と同様の輪郭形状を有している。第２蓋部２０は、排気室構成部１００の上面に重ねられる板状の本体部２０１、本体部２０１の下面から下方に向かって立ち上がる周壁部２１０、及び本体部２０１の下面から下方に向かって立ち上がる隔壁部２１１〜２１５が設けられている。周壁部２１０は、本体部２０１の外周縁に沿って延在している。隔壁部２１１〜２１５は、それぞれ周壁部２１０内に設けられ、Ｙ軸方向に沿って延在している。隔壁部２１１〜２１５は、周壁部２１０で囲まれる空間を、６個に仕切っている。また、図５に示される例では、本体部２０１の下面に、周壁部２１０の外側を取り囲む外壁部２２０が設けられている。
【００２９】
排気室構成部１００に設けられた周壁部１１０及び隔壁部１１１〜１１５のパターンと、第２蓋部２０に設けられた周壁部２１０及び隔壁部２１１〜２１５のパターンとは鏡像の関係を有している。排気室構成部１００上面と第２蓋部２０の下面とは熱溶着により接合される。これにより、排気室構成部１００と第２蓋部２０との間に排気室Ｄ１〜Ｄ６が形成される。排気室Ｄ１〜Ｄ６は、電槽２内の各セル室から発生した電解液のミストを溜め、排気室Ｄ１〜Ｄ６内で液化した電解液をセル室内に還流させる機能を有している。
【００３０】
より詳細には、排気室Ｄ１〜Ｄ６は、電槽２内に設けられた６個のセル室の上部にそれぞれ位置している。排気室Ｄ１〜Ｄ６には、排気室Ｄ１〜Ｄ６の底板となる本体部１０１を貫通する還流孔Ｈがそれぞれ設けられている。排気室Ｄ１〜Ｄ６は、各排気室Ｄ１〜Ｄ６に設けられた還流孔Ｈを介して電槽２の６個のセル室にそれぞれ接続されている。排気室Ｄ１〜Ｄ６内には、複数の障害壁Ｗが設けられている。障害壁Ｗは、還流孔Ｈから入り込んだ電解液のミストが各排気室Ｄ１〜Ｄ６内において蛇行して進行するように、電解液のミストの進行方向を変化させる。障害壁Ｗは、排気室構成部１００及び第２蓋部２０に設けられている。排気室Ｄ１〜Ｄ６の底板となる本体部１０１の上面は、各排気室Ｄ１〜Ｄ６内において還流孔Ｈに向かって徐々に低くなるように傾斜している。
【００３１】
これにより、各排気室Ｄ１〜Ｄ６の還流孔Ｈから各排気室Ｄ１〜Ｄ６内に排出された電解液のミストが、障害壁Ｗ等に触れて液化した後、各排気室Ｄ１〜Ｄ６の底面（本体部１０１の上面）を伝って各排気室Ｄ１〜Ｄ６の還流孔Ｈに戻る。
【００３２】
また、排気室Ｄ１〜Ｄ６には、排気室Ｄ１〜Ｄ６の底板となる本体部１０１を貫通する電解液注入口Ｃがそれぞれ設けられている。第２蓋部２０が排気室構成部１００に接合される前の状態において、各排気室Ｄ１〜Ｄ６に設けられた電解液注入口Ｃを介して、電槽２の各セル室内に電解液が注入される。排気室構成部１００には、電解液注入口Ｃの縁部を囲むように環状壁Ｗ１が設けられている。第２蓋部２０には、排気室構成部１００の環状壁Ｗ１と対向する位置に環状壁Ｗ１が設けられている。
【００３３】
本実施形態において、各還流孔Ｈは、図４に示されるように、上方から見たときに、Ｙ軸方向における第１蓋部１０の中央位置近傍にそれぞれ設けられている。すなわち、各還流孔Ｈは、各排気室Ｄ１〜Ｄ６内において、Ｙ軸方向における突出部１１が設けられる側の端部近傍にそれぞれ設けられている。各電解液注入口Ｃは、各排気室Ｄ１〜Ｄ６内において、Ｙ軸方向における還流孔Ｈが設けられる側の端部に対して反対側の端部近傍にそれぞれ設けられている。
【００３４】
排気室構成部１００に設けられた周壁部１１０、隔壁部１１１〜１１５、障害壁Ｗ、及び環状壁Ｗ１の立ち上がり方向の先端部は、互いに略同一面上に位置している。同様に、第２蓋部２０に設けられた周壁部２１０、隔壁部２１１〜２１５、障害壁Ｗ、及び環状壁Ｗ１の立ち上がり方向の先端部は、互いに略同一面上に位置している。
【００３５】
図５に示されるように、第２蓋部２０の下面（第１蓋部１０側の面）には、排気室Ｄ１〜Ｄ６内のガスを外部に導く排気通路Ｒが設けられている。図５及び図６では、排気通路Ｒが破線で示されている。排気通路Ｒは、排気室Ｄ１〜Ｄ６における環状壁Ｗ１が設けられた側の端部に隣接している。本実施形態において、排気通路Ｒと、排気室Ｄ１〜Ｄ６との間には、壁部が設けられていない。排気通路Ｒは、各排気室Ｄ１〜Ｄ６に連通しており、排気室Ｄ１〜Ｄ６内のガスをまとめて外部に排出する。
【００３６】
より詳細には、本体部２０１から立ち上がる隔壁部２１１〜２１５は、それぞれＹ軸方向における還流孔Ｈ（突出部１１）が設けられる側の端部が周壁部２１０の内側面に当接し、Ｙ軸方向における他方（電解液注入口Ｃが設けられる側）の端部が周壁部２１０の内側面から所定距離離間している。排気通路Ｒは、隔壁部２１１〜２１５の他方の端部と周壁部２１０との隙間を通り、各排気室Ｄ１〜Ｄ６に連通している。すなわち、排気通路Ｒは、周壁部２１０の内側面の一部と、本体部２０１の下面の一部とによって形成されている。排気通路Ｒは、排気室構成部１００（第１蓋部１０）側に開口している。
【００３７】
第２蓋部２０におけるＸ軸方向の両端部には、それぞれ、排気室Ｄ１と外部とに連通する排気口Ｈ１、及び、排気室Ｄ６と外部とに連通する排気口Ｈ６が設けられている。各還流孔Ｈを介して排気室Ｄ１〜Ｄ６内に流入したガスは、排気通路Ｒを通って排気口Ｈ１又はＨ６から蓋３の外部へ排出される。なお、鉛蓄電池１の設置場所に応じて、排気口Ｈ１及びＨ６のうちの一方の排気口が塞がれ、他の方の排気口のみが使用されてもよい。排気口Ｈ１及びＨ６には、防爆フィルタが設けられていてもよい。
【００３８】
上述したように、第２蓋部２０の上面には、図１及び図３に示されるように収容部２０ａが設けられている。収容部２０ａは、第２蓋部２０の本体部２０１が排気室構成部１００（第１蓋部１０）側に向けて窪むことによって形成されている。すなわち、第２蓋部２０において、収容部２０ａが設けられた部位の厚さは、他の部位よりも厚さが薄い。なお、図５に示されるように、第２蓋部２０の本体部２０１の下面において、収容部２０ａが設けられ部位を、「収容部下面２０１ａ」と称する。すなわち、収容部下面２０１ａとは、収容部２０ａにおける第１蓋部１０側の面である。
【００３９】
図５及び図６に示されるように、排気通路Ｒは、第１蓋部１０と第２蓋部２０との重ね方向（上下方向）に沿って見たときに、収容部２０ａと重なる部位を有している。なお、排気通路Ｒにおいて、第１蓋部１０と第２蓋部２０との重ね方向に沿って見たときに収容部２０ａと重なる部位を、「重なり通路部Ｒ１」と称する。すなわち、重なり通路部Ｒ１は、収容部下面２０１ａを横切っている。重なり通路部Ｒ１は、排気室構成部１００側に開口している。本体部２０１の下面のうち収容部下面２０１ａは、収容部２０ａが設けられていることによって、他の部位よりも第１蓋部１０側に位置している。すなわち、排気通路Ｒのうち重なり通路部Ｒ１は、排気通路Ｒの他の部位よりも通路の高さが低い。
【００４０】
また、本実施形態では、図５に示されるように、収容部下面２０１ａに、隔壁部２１３が設けられている。隔壁部２１３は、排気室構成部１００と第２蓋部２０との間に形成される排気室を排気室Ｄ３と排気室Ｄ４とに仕切っている。
【００４１】
図４及び図６に示されるように、排気室構成部１００には、第２蓋部２０の重なり通路部Ｒ１と対向する部位に、重なり通路部Ｒ１に沿って延在してガスを流通させるガス流通部Ｌが設けられている。図４及び図６では、ガス流通部Ｌが破線で示されている。ガス流通部Ｌは、周壁部１１０の内側面の一部と、本体部１０１の上面の一部とによって形成されている。ガス流通部Ｌは、第２蓋部２０側に開口している。図６に示されるように、ガス流通部Ｌと重なり通路部Ｒ１とは、上下方向に並んでいる。ガス流通部Ｌと重なり通路部Ｒ１とは、上下方向において互いに連通している。
【００４２】
隔壁部(壁部)１１３は、排気室構成部１００と第２蓋部２０との間に形成される排気室を排気室Ｄ３と排気室Ｄ４とに仕切っている。隔壁部１１３は、第１壁部１１３ａ、及び第２壁部１１３ｂを有している。第１壁部１１３ａは、Ｙ軸方向に沿って延在している。第１壁部１１３ａは、第２蓋部２０の隔壁部２１３に対向している。第１壁部１１３ａにおける突出部１１側の端部は、周壁部１１０の内側面に当接している。第１壁部１１３ａにおける他方の端部は、ガス流通部Ｌの近傍に位置している。第２壁部１１３ｂの一方の端部は、第１壁部１１３ａのガス流通部Ｌ側の端部に連結されている。第２壁部１１３ｂの他方の端部は、排気室Ｄ３に設けられた電解液注入口Ｃの縁部を囲む環状壁Ｗ１に当接している。
【００４３】
このように、隔壁部１１３は、ガス流通部Ｌが設けられる部位を避けるように、第１壁部１１３ａと第２壁部１１３ｂとの接続部分において屈曲している。これにより、排気室構成部１００は、隔壁部１１３を屈曲させることによって、ガス流通部Ｌを設ける領域を確保している。すなわち、隔壁部１１３は、収容部下面２０１ａに対向する位置に設けられ、且つ、第２蓋部２０の重なり通路部Ｒ１に対向する部位を避けた位置に設けられている。
【００４４】
排気室構成部１００において、ガス流通部Ｌが設けられる部位には隔壁部１１３等の壁部が設けられていない。これにより、排気室構成部１００は、壁部によって遮られることなく、重なり通路部Ｒ１に対向する部位をガス流通部Ｌとして使用できる。
【００４５】
以上のように、この鉛蓄電池１の蓋３において、第２蓋部２０の収容部２０ａが設けられた部位は、第２蓋部２０の他の部位よりも厚さが薄くなる。第２蓋部２０に設けられる排気通路Ｒのうちの重なり通路部Ｒ１は、第２蓋部２０の厚さが薄い部位に設けられている。第１蓋部１０の排気室構成部１００には、重なり通路部Ｒ１に対向する部位にガス流通部Ｌが設けられている。このため、第１蓋部１０と第２蓋部２０とを熱溶着で接合したときに、第２蓋部２０の重なり通路部Ｒ１が溶けた樹脂で塞がれても（一部が塞がれても）、鉛蓄電池１の蓋３は、排気室構成部１００に設けられたガス流通部Ｌを介して排気通路Ｒのガスの流通を確保できる。従って、鉛蓄電池１は、排気室Ｄ１〜Ｄ６からのガスの排出経路を確保できる。
【００４６】
排気室構成部１００において、収容部下面２０１ａに対向する部位に設けられる隔壁部１１３は、重なり通路部Ｒ１に対向する部位を避けるように屈曲している。この場合、鉛蓄電池１の蓋３は、隔壁部１１３が設けられていたとしても、排気室構成部１００における重なり通路部Ｒ１に対向する部位をガス流通部Ｌとして使用できる。
【００４７】
以上、本発明の実施形態について説明したが、本発明は、上記実施形態に限定されない。例えば、排気室構成部１００に設けられる隔壁部１１３に代えて、図７に示される隔壁部１１３Ａが設けられていてもよい。隔壁部１１３Ａは、Ｙ軸方向に沿って延在している。隔壁部１１３Ａの両端部は、周壁部１１０の内側面にそれぞれ当接している。隔壁部１１３Ａには、第２蓋部２０の重なり通路部Ｒ１と対向する部位に切欠き１１３ｃが設けられている。この場合、鉛蓄電池１は、隔壁部１１３Ａが設けられていたとしても、排気室構成部１００における重なり通路部Ｒ１に対向する部位をガス流通部Ｌとして使用できる。
【００４８】
また、収容部１１ａ及び２０ａは、蓋３におけるＸ軸方向の中央部に位置していなくてもよい。また、収容部１１ａ及び２０ａは、Ｙ軸方向に沿って延在していることに限定されず、Ｘ軸方向に沿って延在していてもよい。蓋３には、ハンドルが一つのみ取り付けられる構成であってもよい。ハンドル４及び５は、略Ｕ字状を呈していることに限定されず、収容部２０ａに収容される部位を有していればよい。
【００４９】
排気室構成部１００において、重なり通路部Ｒ１に対向する部位にガス流通部Ｌを確保できれば、隔壁部１１１〜１１５等の壁部の形状は、図４等に示した形状に限定されない。例えば、図４に示される隔壁部１１３の第２壁部１１３ｂは、排気室Ｄ３に設けられた環状壁Ｗ１に当接していることに限定されない。例えば、第２壁部１１３ｂは、排気室Ｄ４に設けられた環状壁Ｗ１に当接していてもよく、他の壁部に当接していてもよい。例えば、排気室構成部１００において収容部下面２０１ａと対向する部位に、排気室を仕切る隔壁部１１１〜１１５が設けられていなくてもよい。第２蓋部２０の排気通路Ｒは、図５等に示した構成に限定されない。排気通路Ｒは、第１蓋部１０と第２蓋部２０との重ね方向に沿って見たときに、収容部２０ａと重なる重なり通路部Ｒ１を有していればよい。
【産業上の利用可能性】
【００５０】
鉛蓄電池は、排気室からのガスの排出経路を確保することができる。
【符号の説明】
【００５１】
１…鉛蓄電池、２…電槽、３…蓋、４，５…ハンドル、１０…第１蓋部、２０…第２蓋部、２０ａ…収容部、１０１…本体部、１１３，１１３Ａ…隔壁部（壁部）、１１３ｃ…切欠き、Ｄ１〜Ｄ６…排気室、Ｌ…ガス流通部、Ｒ…排気通路。
【図１】
0006981479.tif 000002
【図２】
0006981479.tif 000003
【図３】
0006981479.tif 000004
【図４】
0006981479.tif 000005
【図５】
0006981479.tif 000006
【図６】
0006981479.tif 000007
【図７】
0006981479.tif 000008